(57)【要約】電気機械的警報ホーンシステムが、底壁（９）により閉じられた円柱状壁部（８）、およびフランジ状縁部（１２）を有する中空の本体（２）と；前記底壁（９）上に支持された少なくとも１つのボビン（３）と；少なくとも１つの移動コア（７）が設けられた、前記フランジ状縁部（１２）に固定された弾性膜（６）と；少なくとも１つのコンタクトブレーカ（４）とを含む。コンタクトブレーカは、支持体（２２）と、電気接点（２７，２８）が設けられたスプリング（２３）と、前記支持体（２２）と前記スプリング（２３）の間に挟まれた絶縁プレート（５）とを含み、前記絶縁プレート（５）に、少なくとも１層の抵抗性のシルクスクリーンインクの層（３１，３２）が設けられている。
2004505323.tif 000002
【特許請求の範囲】
【請求項１】
電気機械的警報ホーンシステムであって、
底壁（９）により閉じられた第１の円柱状の部分（８）、第２の平坦な部分（１０）、第３の円柱状の部分（１１）、および、フランジ状の縁部（１２）を壁部が含む中空の本体（２）と；
前記底壁（９）上に支持された少なくとも１つの電気ボビン（３）と；
少なくとも１つの移動コア（７）が設けられた、前記中空本体（２）の前記フランジ状縁部（１２）に固定された弾性膜（６）と；
少なくとも１つのコンタクトブレーカ（４）であって、支持体（２２）、電気接点（２７，２８）が設けられたスプリング（２３）、および、前記支持体（２２）と前記スプリング（２３）の間に挟まれた絶縁プレート（５）を含むコンタクトブレーカと、を含み、前記絶縁プレート（５）に少なくとも１層の抵抗性のシルクスクリーンインクの層（３１，３２）が設けられていることを特徴とする電気機械的警報ホーンシステム。
【請求項２】
少なくとも１層のシルクスクリーンインクの層（３１，３２）が、電磁過渡現象を排除するのに好適な大域抵抗を有することを特徴とする請求項１に記載の電気機械的警報ホーンシステム。
【請求項３】
少なくとも１層のシルクスクリーンインクの層（３１，３２）が絶縁プレート（５）の両面（２９，３０）にコーティングされていることを特徴とする請求項１に記載の電気機械的警報ホーンシステム。
【請求項４】
絶縁プレート（５）の両面（２９，３０）にコーティングされた層（３１，３２）が通し穴（３３）を介して互いに連結されていることを特徴とする請求項３に記載の電気機械的警報ホーンシステム。
【請求項５】
前記絶縁プレート（５）が、好ましくはベークライズクロスから製造されていることを特徴とする請求項１〜４のいずれか一項に記載の電気機械的警報ホーンシステム。
【請求項６】
前記少なくとも１層の抵抗性シルクスクリーンインク層（３１，３２）が１０Ω２〜４０Ω２の範囲の値から選択され、かつ、大域抵抗が５０Ω〜１３０Ωの範囲から選択されることを特徴とする請求項１〜４のいずれか一項に記載の電気機械的警報ホーンシステム。
【請求項７】
前記少なくとも１層の抵抗性シルクスクリーンインク層（３１，３２）が２２Ω２〜２８Ω２の範囲の値から選択され、かつ、７０Ω〜１１０Ωの範囲の大域抵抗を有することを特徴とする請求項６に記載の電気機械的警報ホーンシステム。
【発明の詳細な説明】
【０００１】
詳細な説明
本願発明は、電気機械的な警報（警告）ホーンシステムに関する。
【０００２】
さらに詳細には、本願発明は、特に自動車おいて使用するのに適した電気機械的警報ホーンシステムに関する。
【０００３】
知られている電気機械的警報ホーンシステムは、一端が開放された中空の本体、前記中空本体内に収容された電気ボビン、および、前記中空本体の開放端の縁部にて固定された、移動コアが設けられた膜を含む。
【０００４】
電気ボビンは中空本体の閉鎖端の壁部に固定され、かつコンタクトブレーカに連結されている。コンタクトブレーカは、支持体、電気接点が設けられたスプリング、および、前記支持体と前記スプリングの間に挟まれた絶縁プレートにより構成されている。知られているように、このタイプの電気機械的警報ホーンシステムは、動作中に、望ましくない電磁過渡現象を生じる。
【０００５】
この欠点を排除するために、中空本体内に、適切な値の抵抗器を特別な支持体と共に収容することが提示されてきた。抵抗器の端部は支持体およびコンタクトブレーカのスプリングに電気的に連結され、それにより電気接点に対して平行に配置される。抵抗器の存在により、電磁過渡現象の発生を低減することが可能になる。なぜなら、抵抗器は、電気接点の開閉による過電圧を著しく下げることを可能にするからである。
【０００６】
抵抗器の導入は、電磁過渡現象の問題は解決するが、さらなる構造上および機能上の欠点を有する。
【０００７】
第１の欠点は、抵抗器の導入が、抵抗器が電気的連結部および特別な支持体を含むために構造を複雑にし、また、その結果として警報ホーンシステムのコストが増大することにある。
【０００８】
第２の欠点は、走行中の車両と前記警報ホーンシステムの作動により発生する振動および温度のために、抵抗器が損傷を受けることがあり、および／または、端部が電気的接触を失うことがあり、それにより動作不良が生じることにある。
【０００９】
本願発明の目的は、上記の欠点を排除することにある。
【００１０】
さらに詳細には、本願発明の目的は、電磁過渡現象の問題を解決しつつ、上記の構造上および機能上の欠点を排除することを可能にする電気機械的警報ホーンシステムを提供することにある。
【００１１】
本願発明に従えば、以下の説明により明らかになるであろう、これらの、および、さらに他の目的が、以下に記載する電気機械的警報ホーンシステムにより達成される。この電気機械的警報ホーンシステムは、
中空の本体であって、その壁部が、底壁により閉じられた第１の円柱状の部分、第２の平坦な部分、第３の円柱状の部分、および、フランジ状の縁部を含む中空の本体と；
前記底壁上に支持された（接する）少なくとも１つのボビンと；
少なくとも１つの移動コアが設けられた、前記中空本体の前記フランジ状縁部に固定された弾性の膜と；
少なくとも１つのコンタクトブレーカであって、支持体、電気接点が設けられたスプリング、および、前記支持体と前記スプリングの間に挟まれた絶縁プレートを含むコンタクトブレーカとを含む。前記絶縁プレートには少なくとも１層の抵抗性（電気抵抗性）のシルクスクリーンインクの層が設けられている。前記少なくとも１層の抵抗性シルクスクリーンインクの層は、電磁過渡現象を排除するのに好適な大域（グローバル）抵抗を有する。
【００１２】
前記少なくとも１層のシルクスクリーンインクの層は、絶縁プレートの面の一方に、好ましくは両面上にコーティングされ得る。
【００１３】
本願発明の電気機械的警報ホーンシステムの構造上および機能上の特性は、以下の詳細な説明と、それと共に参照される添付図面によって、より容易に理解されるであろう。これらが示す実施形態は、限定的でない単なる例として開示される。
【００１４】
添付図面に関して、本願発明の電気機械的警報ホーンシステムの全体が番号１で示されており、システム１は、中空の本体２、電気ボビン３、絶縁プレート５を含むコンタクトブレーカ４、および、移動コア７が設けられた弾性膜６を含む。
【００１５】
中空本体２は壁部により画成されており、壁部は、底部壁９により閉じられた第１の円柱状の部分８、ショルダを形成している第２の平坦な部分１０、第３の円柱状の部分１１、および、下方のフランジ状縁部１２を含む。平坦部１０には通し穴１３が設けられている。
【００１６】
底部壁９に支持要素１４が連結されており、支持要素１４には、車両に固定するためのねじ付きピン１５と、ボビン３の固定されたコアを構成するのに適した円柱状突出部１６が設けられている。前記ねじ付きピン１５は中空本体２の外部に、前記円柱状突出部１６は中空本体２の内部にそれぞれ配置されている。
【００１７】
ボビン３は、リール１８上に巻かれたコイル１７を有する。リール１８は、中央穴および突出フランジ１９，２０を含む。中央穴の直径は、突出部１６の外径に等しい。フランジ１９および２０の外径は、中空本体２の第１円柱状部８の内径とほぼ等しく、リール１８の高さは、前記第１円柱状部８とほぼ等しい。
【００１８】
フランジ１９に、半径方向に延長部２１が合体され、フランジ１９と一体的な部分を形成している。延長部２１は、リール１８と、それによりボビン３とを、平坦部１０により構成されたショルダと共に中空本体２に固定するのに好適である。
【００１９】
コンタクトブレーカ４は、支持体２２、スプリング２３および絶縁プレート５を含む。支持体２２は、中空本体２の平坦部１０に面した固定ゾーン２４を有し、また、好ましくはタングステンからつくられた第１の電気接点２７を備えている。スプリング２３は、支持体２２に面した層状の要素により構成されており、ゾーン２４を出発点として、電気接点２７を覆うまで延在する。電気接点２７に対応する端部にて、前記スプリング２３に、好ましくはタングステンからつくられた第２の電気接点２８が設けられており、電気接点２８は前記電気接点２７と対向している。
【００２０】
絶縁プレート５が支持体２２とスプリング２３の間に挟まれて、スプリング２３と同様に、支持体２２のゾーン２４を出発点として、前記電気接点２７および２８を覆うまで延在している。前記絶縁プレート５は、その両側の面２９および３０の各々の上に、少なくとも１層の抵抗性のシルクスクリーンインクの層３１および３２を有する。層３１および３２は、好ましくは、よく用いられるポリマー（ＰＴＥ）成膜技術により、それぞれの面２９および３０上にコーティングされる。穴３３が、抵抗性のシルクスクリーンインクにより、または、適切な導電性の手段を介して、反対側の層３１と３２を中断せずに連結することを可能にする。抵抗性シルクスクリーンインクの層３１と３２は、電気接点の開閉により生じる望ましくない電磁過渡現象を排除するのに十分なグローバルな（大域の）電気抵抗をもたらすためのものである。好ましくは、前記絶縁プレート５はベークライズ（ベークライトの）クロスから構成され、抵抗性シルクスクリーンインクは、１０Ω２〜４０Ω２の中から、好ましくは２２Ω２〜２８Ω２の中から選択される。グローバル抵抗は、５０Ω〜１３０Ωの中から、好ましくは７０Ω〜１１０Ωの中から選択される。
【００２１】
本願発明の電気機械的警報ホーンシステムのコンタクトブレーカ４を組み立てるために、リベット３４が、プラスチック材料からつくられたベース３５、中空本体２の平坦部１０の穴１３、リール１８の延長部２１、スプリング２３、絶縁プレート５、および支持体２２の固定ゾーン２４に通される。次いでリベット３４を留め付けて、ボビン３およびコンタクトブレーカ４を中空本体２に固定する。このようにして、抵抗性シルクスクリーンインクの層３１および３２は電気接点２７および２８に、スプリング２３および支持体２２によりそれぞれ電気的に連結され、これにより、望ましくない電磁過渡現象を排除するのに必要な電気抵抗を構成する。
【００２２】
次いで、移動コア７が設けられた膜６を中空本体２のフランジ状縁部１２に、クリンチにより固定して組立を完成させる。
【００２３】
静止状態において、移動コア７はボビン３から離れ、電気接点２８は、スプリング２３の作用により電気接点２７に接触し、これにより、警報ホーンシステムの電気回路が閉じられ、制御されるよう準備ができる。
【００２４】
本願発明の電気機械的警報ホーンシステムの動作中に、制御装置が作動しているときに電気回路は完結しており、したがって、ボビン３が、膜６に連結された移動コア７を引き込み、移動コア７は固定コア１６に接近する。この移動の間に、移動コア７は絶縁プレート５に作用し、絶縁プレート５はスプリング２３に作用し、電気接点２７と２８を開き、それにより電気回路の中断を生じる。この瞬間に電気接点２７と２８の間に生じる過電圧が電気アークの生成も引き起こすが、これは、電気接点２７および２８と平行な抵抗性シルクスクリーンインク層３１および３２の抵抗により吸収される。
【００２５】
電気回路が中断すると、ボビン３は、移動コア７と、それにより膜６とを解放し、膜６は、その初期位置に戻り、このようにして、スプリング２３が電気接点２８を再び電気接点２７と接触させることを可能にし、これにより新しいサイクルが開始することができる。
【００２６】
抵抗性シルクスクリーンインクの層３１および３２が設けられた絶縁プレート５が、望ましくない電磁過渡現象を排除するのに必要な電気抵抗をもたらすことができることが明らかであり、また、既知の技術による電気抵抗の付与により生じる欠点がどのようにして克服および排除されるかが明らかである。
【００２７】
本願発明に従う電気機械的な警報ホーンシステムは、自律的要素としての電気抵抗器と、これに関連した支持体とを排除した独特の単純な構造に関連して望ましくない電磁過渡現象の著しい低下を可能にした。
【００２８】
本願発明を特定の実施形態に関して記載してきたが、当業者には、以上の記載に鑑みて多くの変更および改良が行われ得ることが明らかであろう。
【００２９】
したがって、本願発明は、本願発明の精神および範囲における変更および改良の全てを包含するものとする。
【図面の簡単な説明】
【図１】
図１は、本願発明の電気機械的な警報ホーンシステムの断面の概略図である。
【図２】
図２は、図１の警報ホーンシステムの絶縁プレートの概略正面図である。
【図３】
図３は、図２の「ｄ」方向から見た、図２のプレートの概略側面図である。
【国際公開パンフレット】
2004505323.tif 000003
2004505323.tif 000004
2004505323.tif 000005
2004505323.tif 000006
2004505323.tif 000007
2004505323.tif 000008
2004505323.tif 000009
2004505323.tif 000010
2004505323.tif 000011
2004505323.tif 000012
2004505323.tif 000013
2004505323.tif 000014
2004505323.tif 000015
【国際調査報告】
2004505323.tif 000016
2004505323.tif 000017